(57)【要約】【課題】一般家庭の玄関あるいは飲食店の和室など靴を脱がなければならない上がり口に設置しておき、複数のブーツを多段に効率よく狭いスペースで係止でき、乱雑することなく整理整頓できると共に、長期保管する時においても、シワや型崩れを生じないように保管できるブーツ支持具を提供する。【解決手段】台座１に直立する支柱２の周面方向と長さ方向に複数の開口部３、３を設ける。該開口部３，３から出没する傾斜杆４，４を設ける。【選択図】図１
0003122749.tif 000002
【実用新案登録請求の範囲】
【請求項１】
台座に直立する支柱の周面方向と長さ方向に複数の開口部を設け、該開口部から出没する傾斜杆を設けたことを特徴とするブーツ支持具。
【請求項２】
前記傾斜杆は上部、中部、下部と多段に設けられている請求項１に記載のブーツ支持具。
【請求項３】
前記傾斜杆はその基部を軸で回動自在に軸着されている請求項１または２に記載のブーツ支持具。
【請求項４】
前記傾斜杆に脱臭剤、芳香剤、乾燥剤、除菌剤のいずれかの薬剤を内在した袋カバーを嵌めてある請求項１〜３のいずれか１項に記載のブーツ支持具。
【考案の詳細な説明】
【技術分野】
【０００１】
本考案は、脱いだブーツを引っ掛けて整理しておくためのブーツ支持具に係り、さらに詳しくは、複数のブーツを多段に係止でき、広い設置スペースを必要としないブーツ支持具に関するものである。
【背景技術】
【０００２】
近年、女性の履くブーツが大流行している。本来、女性用のブーツは防寒用であることから、冬の期間のみに履かれるものであったが、ファッションの多様化にともなって、最近では冬期以外でも利用されることが多くなっている。また、ブーツはそのデザインや材質、色など様々なものがあり、その目的や用途に応じて履き分けられることから、一人の女性で数足のブーツを保有していると言われている。
【０００３】
そのブーツを履いていて問題となるのが脱いだ時の折れ曲がりによる型崩れの問題である。すなわち、脚筒部の長いロングブーツを脱いだ時には、通常の靴のように備え付けられている下駄箱に入れたり靴棚に置いたりすることができないことから、そのまま立てた状態にしている。
【０００４】
ところが、脚筒部の長いロングブーツは、足首部の上部付近から折れ曲がってシワになったり型崩れを起こしたり、あるいは折れ曲がった脚筒部が地面と接触して汚れたり傷が付いたりする欠点があると共に、ブーツの脚筒部が折れ曲がると場所を取るばかりでなく乱雑になって見苦しいと言った問題点があった。
【０００５】
そのような問題点を解消するものとして、図７に示すように、ブーツ置台２１に伸縮自在の支柱２２を設けて、その支柱２２の上端部に設けたクリップ２３によって両足のブーツ２４，２４の履き口２５，２５を挟むことにより吊設するブーツスタンドが提案されている（例えば、特許文献１、２参照）。
【０００６】
【特許文献１】特開２００３−２３５６１０号公報
【特許文献２】特開２００５−１５２７２号公報
【考案の開示】
【考案が解決しようとする課題】
【０００７】
しかしながら、前記の特許文献１、２のブーツスタンドは、脚筒部がシワになったり、折れ曲がったりすることは防ぐことができても、１足しか吊設できず、複数足を吊設するには複数個のブーツスタンドが必要となり、広い設置スペースを必要とした。そのため、一般家庭の狭い玄関などに設置すると邪魔になった。また、このブーツスタンドの場合、左右両側の履き口２５を揃えてから履き口２５の両方をクリップ２３で挟んで支持させる必要があり、ブーツ２４を取り外す際には、クリップ２３を摘んでブーツ２４を取り外さなければならず、取り付け、取り外しいずれの場合においても、面倒で使い勝手が悪いと言った問題点があった。
【０００８】
一方、履用期間を過ぎると次のシーズンまで長期保管しなければならないが、その時には、直立状態にして型崩れしないように新聞紙などを丸めてブーツ内に挿入し靴箱に収めて保管している。しかし、ロングブーツの靴箱は非常に大きいことから、下駄箱に収納しきれないため、他の場所に積み上げて保管しているが、１足ならまだしも、複数足を保有していると広い保管スペースが必要になると言った問題点があった。
【０００９】
本考案は、上記のような問題点を解決することを課題として開発されたもので、一般家庭の玄関あるいは飲食店などの和室で靴を脱がなければならない上がり口などに設置し、複数のブーツを多段に効率よく狭いスペースで係止でき、乱雑することなく整理整頓できると共に、長期保管する時においても、シワや型崩れを生じないように保管できるブーツ支持具を提供するものである。
【課題を解決するための手段】
【００１０】
上記の課題を解決し、その目的を達成する手段として、台座に直立する支柱の周面方向と長さ方向に複数の開口部を設け、該開口部から出没する傾斜杆を設けたことを特徴とするブーツ支持具を開発し、採用した。
【００１１】
また、本考案は、上記のように構成したブーツ支持具において、前記傾斜杆は上部、中部、下部と多段に設けられているブーツ支持具、および前記傾斜杆はその基部を軸で回動自在に軸着されているブーツ支持具、および前記傾斜杆に脱臭剤、芳香剤、乾燥剤、除菌剤のいずれかの薬剤を内在した袋カバーを嵌めてあるブーツ支持具を開発し、採用した。
【考案の効果】
【００１２】
請求項１記載のブーツ支持具によれば、支柱に設けた複数の開口部から出没する傾斜杆に引っ掛けることができるから、複数のブーツを多段に効率よく係止できると共に、ブーツを逆さまにして容易に差し込むことができ、差し込まれたブーツは落下することなく確実に係止し、取り外す時も傾斜してあるのでスムーズに取り外せる。また、ブーツは履き口が先で逆さまの状態で斜めに係止されるから、ブーツの内部に空気が侵入しやすくなって内部の蒸れや湿気をなくすことができる。さらに、ブーツは傾斜杆に係止されるから、踝までの長さのアンクルブーツや脹脛までの長さのセミブーツ、膝までの長さのスタンダードブーツ、腿までの長さのロングブーツなどどのような長さのブーツにも対応できる。また、折れ曲がりやすい足首上部がシワになったり、折れ曲がったりして型崩れすることがなく脱いだブーツが整理整頓される。さらに、ブーツ支持具の設置に際しても、広いスペースを必要としなく、玄関やブーツを脱がなければならないところ、例えば、飲食店などの和室の上がり口に置いて、ブーツを係止しても邪魔にならない。
【００１３】
請求項２記載のブーツ支持具によれば、前記請求項１の記載の効果に加えて、上部、中部、下部の傾斜杆にブーツを差し込むことにより、上下の空間部を利用して効率よく複数個のブーツを係止できると共に、支柱にかかる荷重のバランスがとれてブーツ支持具は安定した状態を保つ。
【００１４】
請求項３記載のブーツ支持具によれば、前記請求項１および２の記載の効果に加えて、傾斜杆の回動がスムーズで開口部からの出没を円滑に行うことができる。
【００１５】
請求項４記載のブーツ支持具によれば、前記請求項１、２および３の記載の効果に加えて、ブーツを係止している間に、悪臭や異臭、蒸れ、湿気、雑菌を取り除くことができて
衛生的効果を上げることができる。
【考案を実施するための最良の形態】
【００１６】
以下に、本考案の実施形態１を添付図面の図１〜図４に基づいて説明すれば、本考案に係るブーツ支持具は、接地面に接する台座１と、その台座１の中央部に直立する支柱２と、その支柱２の周面方向と長さ方向に設けられた開口部３，３と、その開口部３，３から出没自在となる傾斜杆４，４とで構成されている。
【００１７】
前記台座１は、プラスチック製で円盤状に形成されており、その中央部に柱体２の下端部が固着される。その固着手段としては、凹部による嵌合接着であってもよく、あるいは螺孔による螺着であってもよく、要するに台座１と柱体２が強固に固着されるのであればどのような固着手段でも良い。
【００１８】
前記支柱２は、プラスチック製で中空円筒状に形成されており、周面方向の両側面に開口部３，３を設けてある。この開口部３，３は、上部両側壁面、中部両側壁面、下部両側壁面をそれぞれ縦長に開設して設けた上部開口部３ａ，３ａと中部開口部３ｂ，３ｂと下部開口部３ｃ，３ｃから形成されている。この支柱２は前述のように、台座１に対して直角に立設してある。
【００１９】
前記傾斜杆４，４は、開口部３，３から出没するものであり、図４に示すように、左傾斜杆４ａの基端部を二股部５，５に形成すると共に、右傾斜杆４ｂの基端部を突片６に形成し、その突片６を二股部５，５に嵌入し軸７で回動自在に軸着してある。開口部３，３から突出した時の傾斜杆４，４の傾斜角度はブーツ１０の履き口１１の挿し込みおよび取り出しの容易性とスペースの関係から３０〜４５度が適しており、３５〜４０度が最適である。
【００２０】
このように構成された本考案のブーツ支持具の使用例を説明すると、１足のみ掛ける場合は、下部開口部３ｃ，３ｃの内部に隠れている傾斜杆４，４の先端を指先で摘み、開口部３ｃ，３ｃから突出するように外方に向かって回動させると、傾斜杆４，４の下端部が開口部３ｃ，３ｃの下端壁３ｃ’，３ｃ’に当り回動を阻止され、傾斜杆４，４の開き具合が確定する。
【００２１】
そして、図２に示すように、左右の傾斜杆４，４にロングブーツ１０、１０を逆さまにして履き口１１を先にして傾斜杆４，４に差し込めば、ロングブーツ１０，１０はシワや型崩れを起こすことなく係止された状態になる。２足目および３足目のロングブーツ１０，１０を係止するには、前述と同じ方法で、中部開口部３ｂ，３ｂおよび上部開口部３ｃ，３ｃからそれぞれ左右の傾斜杆４，４を引き出して係止すれば良いものである。
【００２２】
上記の実施形態１のブーツ支持具によれば、極めて簡単な構造であり、部品数も少なく型成形で多量生産に適し安価に供給し得るのは勿論、傾斜杆４，４に係止されたロングブーツ１０、１０は、履き口１１を先にしてあるから、ブーツの内部に空気が侵入しやすくなって内部の悪臭や蒸れ、湿気などをなくすることができると共に、ロングブーツ１０，１０の係止時の傾斜杆４，４は３０〜４５度の範囲で拡がるだけであるから、大きなスペースをとることがなく、かつ、上部、中部、下部の空間部を利用して多段にブーツを係止でき、効率よく複数個のブーツを係止できる作用、効果がある。
【００２３】
また、使用しない時は、左右の傾斜杆４，４が支柱２の内部に収納されることから、支柱２だけの幅の極めて少ないスペースがあればよく、狭い玄関に置いても邪魔になることがない。
【００２４】
つぎに、図５、図６に示すものは本考案の第２実施の形態を示すもので、前記第１実施の形態と異なるのは、左右の傾斜杆４，４に脱臭剤、芳香剤、乾燥剤、除菌剤などのいずれかの薬剤８を内在した袋カバー９を嵌めている点のみ異なっているだけであり、他の点は第１実施の形態と全く変わらないことから、それらの説明を省略すると共に、同一部分には同一符号を付してある。
【００２５】
このように構成した第２実施のブーツ支持具は、上記第１実施の形態と同様の作用、効果に加えて、ロングブーツを係止している間に、積極的に悪臭、異臭を除去し、あるいは蒸れや湿気を有していれば乾燥させることができると共に、雑菌が付着していれば除菌してブーツ内を常に清潔を保つことができ衛生的になる。
【００２６】
以上、本考案の主要な実施の形態について説明したが、本考案は上記の実施の形態に限定されるものではなく、例えば、傾斜杆を下部、中部、上部の３段で説明したが、２段あるいは３段以上の場合もあり、また、傾斜杆も左右に出没する例を挙げたが、前後左右にも出没することも可能であり、要するに本考案の目的を達成でき、かつ本考案の要旨を逸脱しない範囲内で種々設計変更が可能であり、それらも全て本考案の範囲内に包含されるものである。
【産業上の利用可能性】
【００２７】
本考案は、一般家庭の玄関あるいは飲食店の和室など靴を脱いで上がる場所の入口に設置しておけば、小さなスペースで複数のブーツを掛ける事ができて整理整頓できると共に、靴店の販売用展示具などとしても有効的に利用できるものである。
【図面の簡単な説明】
【００２８】
【図１】本考案の第１実施のブーツ支持具を示す斜視図である。
【図２】本考案の第１実施のブーツ支持具にブーツが掛止している状態の断面図である。
【図３】本考案の第１実施のブーツ支持具を示す側面図である。
【図４】傾斜杆の枢着部を示す平面図である。
【図５】本考案の第２実施のブーツ支持具にブーツが掛止している状態の断面図である。
【図６】袋カバーの縦断面図である。
【図７】従来のブーツスタンドを示す背面図である。
【符号の説明】
【００２９】
１  台座
２  支柱  
３  開口部    
４  傾斜杆    
７  軸  
８  薬剤
【図１】
0003122749.tif 000003
【図２】
0003122749.tif 000004
【図３】
0003122749.tif 000005
【図４】
0003122749.tif 000006
【図５】
0003122749.tif 000007
【図６】
0003122749.tif 000008
【図７】
0003122749.tif 000009